(57)【要約】【課題】  水平投影面においてかご側に突出した突起部材を有するつり合おもりを、少ない横断面面積の昇降路に容易に配置できるエレベーターの案内レール装置を得る。【解決手段】  水平投影面で溝形のレールブラケット５のかご２に対向した第二締結部７を、つり合おもり３外面に対向した第一支持部１４及びつり合おもり３の突起部材１６に対向し第一支持部１４よりもかご２寄りに配置した第二支持部１５により形成する。  これにより、つり合おもり３の突起部材１６の配置位置における昇降路１壁面とかご２の外面との間の昇降路１の拡張を要しない。そして、つり合おもり３の外面と第一支持部１４との間に無駄スペースが生ぜず、昇降路の所要面積を減少でき、昇降路の構築費を節減し、また床面積が小さい建物でのエレベーター設置を容易化する。【選択図】        図２
2005280970.tif 000002
【特許請求の範囲】
【請求項１】
昇降路の水平投影面において互いに隣接し、かつ相互間に空隙を形成して配置されたかご及びつり合おもり、水平投影面において溝形をなしこの溝形における両側の側壁部によってそれぞれ形成された第一締結部の先端がそれぞれ上記昇降路の壁に装着され、上記溝形の底面部からなる第二締結部が上記かごの外面に沿って配置されたレールブラケットと、上記昇降路に互いに対向して立設され上記第一締結部のそれぞれに基部側が締結されて上記つり合おもりの昇降を案内するつり合おもり案内レールと、上記昇降路に立設されて上記第二締結部の長手中間に基部側が締結され、上記かごに対向して配置されて上記かごの昇降を案内するかご案内レールと、上記第二締結部の長手の一側を形成し上記つり合おもりの外面に空隙を形成して配置された第一支持部及び上記第二締結部の長手の他側を形成し、上記つり合おもりに設けられて水平投影面において上記かご側に突出して配置された突起部材に空隙を形成して装備され、上記第一支持部よりも上記かご外面寄りに配置された第二支持部とを備えたエレベーターの案内レール装置。
【請求項２】
第二締結部を、この第二締結部の長手の一側を形成した第一支持部、この第一支持部とは別体からなり上記第二締結部の長手の他側を形成し長手端を上記第一支持部の端部に対向して配置された第二支持部並びに上記第一支持部及び第二支持部の両者の対向部に配置されて上記両者を結合したブラケット板からなるものとしたことを特徴とする請求項１記載のエレベーターの案内レール装置。
【発明の詳細な説明】
【技術分野】
【０００１】
この発明は、昇降路に立設されてかご等の昇降体の昇降を案内するエレベーターの案内レール装置に関する。
【背景技術】
【０００２】
従来のエレベーターの案内レール装置においては、昇降路の水平投影面において互いに隣接し、かつ相互間に空隙を形成してかご及びつり合おもりが配置される。また、水平投影面において溝形をなすレールブラケットが昇降路に配置されて溝形における両側の側壁部によって第一締結部がそれぞれ形成され、それの先端がそれぞれ昇降路の壁に装着される。そして、レールブラケットにおける溝形と昇降路壁面との間の空間にエレベーターのつり合おもりが配置される。
【０００３】
また、つり合おもりの昇降を案内するつり合おもり案内レールが昇降路に互いに対向して立設されて、つり合おもり案内レールの基部側がレールブラケットの溝形内において第一締結部にそれぞれ締結される。そして、レールブラケットの溝形の底面部からなる第二締結部がかごの外面に沿って配置される。そして、昇降路にかごの昇降を案内するかご案内レールが立設されて、かご案内レールの基部側がレールブラケットの第二締結部の長手中間に締結されている。（類似構成として例えば、特許文献１参照）。
【０００４】
【特許文献１】実公平４−４２２９８号公報（第１頁、第９図）
【発明の開示】
【発明が解決しようとする課題】
【０００５】
従来のエレベーターの案内レール装置では、昇降路の水平投影面において互いに隣接し、かつ相互間に空隙を形成してかご及びつり合おもりを配置し、また水平投影面においてかご側に突出した突起部材がつり合おもりに設けられる場合に、つり合おもりの突起部材に対して空隙を形成してレールブラケットの第二締結部を配置することになる。このときには、つり合おもりの外面と第二締結部との間に水平投影面において無駄なスペースが生じる。このため、昇降路の水平投影面における面積が増大して昇降路の構築費が嵩むという問題点があった。また、昇降路の水平投影面が狭隘であってエレベーターの設置が困難になるという問題点があった。
【０００６】
この発明は、かかる問題点を解消するためになされたものであり、水平投影面においてかご側に突出した突起部材を有するつり合おもりを、水平投影面における少ない面積の昇降路に容易に配置することができるエレベーターの案内レール装置を得ることを目的とする。
【課題を解決するための手段】
【０００７】
この発明に係るエレベーターの案内レール装置においては、昇降路の水平投影面において互いに隣接し、かつ相互間に空隙を形成して配置されたかご及びつり合おもり、水平投影面において溝形をなしこの溝形における両側の側壁部によってそれぞれ形成された第一締結部の先端がそれぞれ昇降路の壁に装着され、溝形の底面部からなる第二締結部がかごの外面に沿って配置されたレールブラケットと、昇降路に互いに対向して立設され第一締結部のそれぞれに基部側が締結されてつり合おもりの昇降を案内するつり合おもり案内レールと、昇降路に立設されて第二締結部の長手中間に基部側が締結され、かごに対向して配置されてかごの昇降を案内するかご案内レールと、第二締結部の長手の一側を形成しつり合おもりの外面に空隙を形成して配置された第一支持部及び第二締結部の長手の他側を形成し、つり合おもりに設けられて水平投影面においてかご側に突出して配置された突起部材に空隙を形成して装備され、第一支持部よりもかご外面寄りに配置された第二支持部とが設けられる。
【発明の効果】
【０００８】
この発明によるエレベーターの案内レール装置は、レールブラケットの第二締結部を形成し、つり合おもりに設けられた突起部材に対向した第二支持部が、第一支持部よりもかご外面寄りに配置される。これにより、つり合おもりの突起部材及びつり合おもりの外面に対してそれぞれ等しい空隙が形成される。このため、つり合おもりの突起部材に対応した位置において、昇降路壁面からこの壁面に対向したかごの外面までの寸法の拡張が不要になる。したがって、つり合おもりの外面と第一支持部との間に水平投影面において無駄なスペースが生じることがなく、昇降路の水平投影面における面積を少なくすることができる。これにより、昇降路の構築費を節減する効果がある。また、床面積が少ない建物に対するエレベーターの設置を容易化する効果がある。
【発明を実施するための最良の形態】
【０００９】
実施の形態１．
図１及び図２は、この発明の実施の形態を示す図で、図１はエレベーター昇降路の横断平面図、図２は図１の要部拡大図である。図において、昇降路１の水平投影面において互いに隣接し、かつ相互間に空隙を形成してかご２及びつり合おもり３が配置される。そして、昇降路１の間口方向の一側にレール支持枠４が配置されて昇降路１の壁に装着される。また、昇降路１の間口方向の他側に次に述べるレールブラケット５が配置される。
【００１０】
すなわちレールブラケット５は、水平投影面において溝形をなしこの溝形における両側の側壁部によってそれぞれ形成された第一締結部６の先端がそれぞれ昇降路１の壁に装着される。また、レールブラケット５の溝形の底面部からなる第二締結部７がかご２の外面に沿って配置される。そして、昇降路１に立設されてかご２の一側に対向し、昇降するかご２の一側を案内する第一かご案内レール８が配置される。
【００１１】
そして第一かご案内レール８は基部が、この基部に重合して配置されたレールクリップ、レールクリップ及びレール支持枠４に挿通されたボルト並びにボルトの挿通端にねじ込まれたナットからなる締結具９によってレール支持枠４に締結される。また、昇降路１に立設されてかご２の他側に対向し、昇降するかご２の他側を案内する第二かご案内レール１０が配置される。
【００１２】
なお第二かご案内レール１０は基部が、締結具９と同様な締結具１１によってレールブラケット５の第二締結部７に締結される。また、つり合おもり案内レール１２が昇降路１に互いに対向して立設される。そして、つり合おもり案内レール１２は基部側が締結具９と同様な締結具１３によって、それぞれレールブラケット５の第一締結部６の内側に締結されてつり合おもり３の昇降を案内する。
【００１３】
そして、第二締結部７の長手の一側を形成した第一支持部１４が、つり合おもり３の外面に図２に示す空隙Ｂを形成して配置される。また、第二締結部７の長手の他側を形成した第二支持部１５が配置される。なお第二支持部１５は、つり合おもり３に設けられて水平投影面においてかご２側につり合おもり３の外面から図２に示す寸法Ａ突出して配置された突起部材１６に、図２に示す空隙Ｂを形成して装備され、第一支持部１４よりもかご２外面寄りに配置される。
【００１４】
なお図２に示すように、第一支持部１４と第二支持部１５の間には水平投影面において、ずれ距離Ｃが形成される。また、図２及び図３における距離Ｄは、昇降路１の壁面からこの壁面に対向したかご２の外面までの寸法である。なお、レールブラケット５の第二締結部７の長手に直交した昇降路１の壁面及びかご２の縁部に出入口１７が設けられる。
【００１５】
上記のように構成されたエレベーターの案内レール装置において、昇降路１の間口方向の一側に設けられたレール支持枠４に支持された第一かご案内レール８及び昇降路１の間口方向の他側に設けられたレールブラケット５に支持された第二かご案内レール１０に案内されてかご２が昇降する。また、レールブラケット５の第一締結部６にそれぞれ支持されたつり合おもり案内レール１２に案内されてつり合おもり３が昇降する。
【００１６】
そして、レールブラケット５の第二締結部７を形成する第一支持部１４と第二支持部１５の間にずれ距離Ｃが形成される。これにより、つり合おもり３の突起部材１６及びつり合おもり３の外面に対してそれぞれ空隙Ｂがそれぞれ形成される。したがって、つり合おもり３の突起部材１６の突出寸法Ａに対応した昇降路１の拡張、すなわち昇降路１の壁面からこの壁面に対向したかご２の外面までの寸法Ｄの拡張が不要になる。
【００１７】
このように、つり合おもり３の外面と第一支持部１４との間に水平投影面において無駄なスペースが生じることがなく、昇降路１の水平投影面における面積を少なくすることができる。したがって、昇降路１の構築費を節減することができる。また、床面積が少ない建物に昇降路１を、すなわちエレベーターを容易に設置することができる。
【００１８】
実施の形態２．
図３は、この発明の他の実施の形態を示す図で、前述の図２相当図である。なお、図３の他は前述の図１及び図２の実施の形態と同様にエレベーターの案内レール装置が構成されている。図において、図１及び図２と同符号は相当部分を示し、第二締結部７の長手の一側を形成した第一支持部１８が、前述の第一支持部１４と同様につり合おもり３の外面に空隙を形成して配置される。
【００１９】
また、第一支持部１８とは別体からなり第二締結部７の長手の他側を形成した第二支持部１９が長手端を第一支持部１８の端部に対向して配置される。そして、第二支持部１９はつり合おもり３に設けられて水平投影面においてかご２側に突出して配置された突起部材１６に、空隙を形成して前述の第二支持部１５と同様に装備されて、第一支持部１８よりもかご２外面寄りに配置される。
【００２０】
そして、ブラケット板２０の一側が第一支持部１８及び第二支持部１９の両者の対向部に重合して配置され、上記両者に溶接されて装着されることによって上記両者が結合される。また、屈折したブラケット板２０の他側に第二かご案内レール１０の基部が、締結具１１によって締結される。
【００２１】
上記のように構成されたエレベーターの案内レール装置においても、つり合おもり３に設けられて水平投影面においてかご２側に突出して配置された突起部材１６に、第二支持部１９が空隙を形成して配置されて第一支持部１８よりもかご２外面寄りに配置される。したがって、詳細な説明を省略するが図３の実施の形態においても図１及び図２の実施の形態と同様な作用が得られる。
【００２２】
また図３の実施の形態において、第一支持部１８及び第二支持部１９の両者が別体によって製作されて、上記両者が相互の対向部に重合したブラケット板２０を介して結合される。このため、第二締結部７の製作において一つの材料を屈曲加工する工程を省くことができ、第二締結部７を容易に製作でき製造費を低減することができる。
【図面の簡単な説明】
【００２３】
【図１】この発明の実施の形態１を示す図であり、エレベーター昇降路の横断平面図。
【図２】図１の要部拡大図。
【図３】この発明の実施の形態２を示す図で、前述の図２相当図。
【符号の説明】
【００２４】
１  昇降路、２  かご、３  つり合おもり、５  レールブラケット、６  第一締結部、７  第二締結部、１０  第二かご案内レール（かご案内レール）、１２  つり合おもり案内レール、１４  第一支持部、１５  第二支持部、１６  突起部材、１８  第一支持部、１９  第二支持部、２０ブラケット板。
【図１】
2005280970.tif 000003
【図２】
2005280970.tif 000004
【図３】
2005280970.tif 000005